(57)【要約】【課題】カメラ付き携帯端末のカメラを使用しない場合に、第三者に対してカメラの使用状態を明示でき、かつ、小型化を容易にすることができるようにする。【解決手段】筐体表面に形成された開口部と、該開口部に対向して前記筐体の内部に固定されたカメラ１７と、前記筐体内で移動可能に配置された表示装置１９と、該表示装置１９を、前記開口部を閉鎖して前記カメラ１７を覆うと共に前記表示部の表示面１９ａを前記開口部より露出させる第１の位置と、前記開口部を開放して前記カメラ１７を露出させる第２の位置との間で移動させる移動機構２０とを備えたことを特徴とする携帯端末装置を提供する。【選択図】    図３
2004177874.tif 000002
【特許請求の範囲】
【請求項１】
筐体表面に形成された開口部と、該開口部に対向して前記筐体の内部に固定されたカメラと、前記筐体内で移動可能に配置された表示装置と、該表示装置を、前記開口部を閉鎖して前記カメラを覆うと共に前記表示部の表示面を前記開口部より露出させる第１の位置と、前記開口部を開放して前記カメラを露出させる第２の位置との間で移動させる移動機構とを備えたことを特徴とする携帯端末装置。
【請求項２】
前記筐体が第１の筐体と第２の筐体とからなり、前記両筐体はヒンジ部を介して折り畳み可能に連結され、かつ前記第２の筐体に前記開口部、カメラ、表示装置、及び移動機構が設けられていることを特徴とする請求項１に記載の携帯端末装置。
【請求項３】
前記開口部は、折り畳んだ際に前記第２の筐体の外側に位置する面に形成してあることを特徴とする請求項２に記載の携帯端末装置。
【請求項４】
前記移動機構が、前記筐体に揺動可能に取り付けられたレバーと、該レバーの一端に係合し、前記筐体に往復移動可能に取り付けられた操作ノブとを備え、前記表示装置が、前記レバーの他端に取り付けられていることを特徴とする請求項１乃至請求項３のいずれかに記載の携帯端末装置。
【請求項５】
前記操作ノブから前記レバーの揺動中心までの距離が、前記レバー他端から前記揺動中心までの距離よりも短いことを特徴とする請求項４に記載の携帯端末装置。
【請求項６】
前記表示装置が、前記レバーの他端に相対回転可能に取り付けられるとともに、前記表示装置を前記筐体内で並進移動させるように案内するガイド手段を設けたことを特徴とする請求項４又は請求項５に記載の携帯端末装置。
【請求項７】
前記筐体内には表示装置の駆動回路を有し、該駆動回路と前記表示装置とは、該表示装置の移動方向に沿って延び、その途中位置を湾曲させて折り返したフレキシブル配線基板によりそれぞれ電気的に接続するようにしたことを特徴とする請求項１乃至請求項６のいずれかに記載の携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
カメラ付きの携帯端末装置は、その小型化・低価格化に伴い急速に普及してきている。かかるカメラ付き携帯端末装置の普及により、日常のちょっとした場面でも自己の知らぬ間に無断で撮影されるおそれもでてきている。そのため、携帯端末装置の筐体からカメラが露出していると、撮影をしていなくても周囲の者に無用の心配や不安を与えトラブル発生の原因にもなる。
このような問題を解決するカメラ付き携帯端末装置としては、カメラを覆い隠すカバーを備えたものが提案されている（例えば、非特許文献１参照。）。
【０００３】
【非特許文献１】
“デザイン＆ボディカラー”、［ｏｎｌｉｎｅ］、［平成１４年１１月１２日検索］、インターネット＜ＵＲＬ：ｈｔｔｐ：／／ｗｗｗ．ｋｙｏｃｅｒａ．ｃｏ．ｊｐ／ｆｒａｍｅ／ｐｒｏｄｕｃｔ／ｔｅｌｅｃｏｍ／ｋｅｉｔａｉ／ａｕ／ａ１０１３ｋ／ｄｅｓｉｇｎ．ｈｔｍｌ＞
【０００４】
【発明が解決しようとする課題】
しかしながら、このような構成のカメラ付き携帯端末装置では、カメラと表示装置を設置するための広い面積を必要とするため、小型化が困難であり、デザイン上の制約ともなっていた。
【０００５】
本発明は、このような問題を解決するためになされたもので、第三者に対してカメラの使用状態を明示でき、かつ、小型化を容易にすることができる携帯端末装置を提供することを目的としている。
【０００６】
【課題を解決するための手段】
上記課題を解決するために、本発明は以下の手段を提供する。
請求項１に係る発明は、筐体表面に形成された開口部と、該開口部に対向して前記筐体の内部に固定されたカメラと、前記筐体内で移動可能に配置された表示装置と、該表示装置を、前記開口部を閉鎖して前記カメラを覆うと共に前記表示部の表示面を前記開口部より露出させる第１の位置と、前記開口部を開放して前記カメラを露出させる第２の位置との間で移動させる移動機構とを備える携帯端末装置を提供する。
請求項２に係る発明は、請求項１に記載の携帯端末装置において、前記筐体を第１の筐体と第２の筐体とから構成し、前記両筐体をヒンジ部を介して折り畳み可能に連結するとともに、前記第２の筐体に前記開口部、カメラ、表示装置、及び移動機構を設けたことを特徴とする。
【０００７】
これらの発明によれば、カメラを使用しない場合には、表示装置を第１の位置に配置することにより、表示装置によりカメラを覆い隠すことができる。一方、カメラを使用する場合には、移動機構を作動させることにより前記表示装置を第２の位置に移動させ、カメラを開口部から露出させることができる。即ち、表示装置をカメラのカバーとして機能させることができる。その結果、操作者が撮影の意思無く表示装置に表示されている情報を見る場合や通話中等において、カメラを表示装置の裏側に隠しておくことができ、外部の第三者に対してカメラを向けることを防止できるとともにカメラを覆うカバーを別個に設ける必要がない。
【０００８】
請求項３に係る発明は、請求項２に記載の携帯端末装置において、前記開口部を、折り畳んだ際に前記第２の筐体の外側に位置する面に形成してあることを特徴とする。
この発明によれば、折り畳み型の携帯端末装置において、折り畳んだ際に第２の筐体の外側に位置する面に開口部を形成してあることから、折り畳んだ状態でも表示装置の表示面に映し出された情報を確認することができるとともに、表示装置の裏側にカメラを隠しておくことができる。
【０００９】
請求項４に係る発明は、請求項１乃至請求項３のいずれかに記載の携帯端末装置において、前記移動機構を、前記筐体に揺動可能に取り付けられたレバーと、該レバーの一端に係合し、前記筐体に往復移動可能に取り付けられた操作ノブとから構成し、前記第２の表示装置を、前記レバーの他端に取り付けたことを特徴とする。
この発明によれば、筐体に対して操作ノブを一方向に移動させることにより、その操作ノブの一端に係合されているレバーが一方向に揺動させられる。また、他方向に操作ノブを移動させるとレバーは他方向に揺動させられる。レバーの他端には、表示装置が取り付けられているので、レバーを往復移動させるだけで、表示装置を第１の位置と第２の位置との間で往復移動させることができる。したがって、操作ノブの操作だけで開口部を簡易に開放または閉鎖させることができる。
【００１０】
請求項５に係る発明は、請求項４に記載の携帯端末装置において、前記操作ノブから前記レバーの揺動中心までの距離を、前記レバーの他端から前記揺動中心までの距離よりも短くしたことを特徴とする。
この発明によれば、表示装置を第１の位置と第２の位置との間で往復移動させるのに必要な操作ノブの直線移動距離をより短くすることが可能となる。
【００１１】
請求項６に係る発明は、請求項４または請求項５に記載の形態端末装置において、前記表示装置を、前記レバーの他端に相対回転可能に取り付けるとともに、前記表示装置を前記筐体内で並進移動させるように案内するガイド手段を設けたことを特徴とする。
この発明によれば、操作ノブを操作することにより、レバーが揺動させられると、そのレバーの先端に取り付けられている表示装置も移動させられる。この場合において、表示装置は筐体内に設けられているガイド手段により並進移動するように案内されているので、レバーに対して相対回転させられることにより、その姿勢を維持したまま並進移動させられる。これにより、表示装置の移動スペースを小さくすることができ、携帯端末装置の小型化をさらに容易にすることが可能となる。
【００１２】
請求項７に係る発明は、請求項１乃至請求項６のいずれかに記載の携帯端末装置において、筐体内に前記表示装置の駆動回路を設け、該駆動回路と前記表示装置とを、該表示装置の移動方向に沿って延び、その途中位置を湾曲させて折り返したフレキシブル配線基板によりそれぞれ電気的に接続するようにしたことを特徴とする。
この発明によれば、表示装置が並進移動するときには、フレキシブル配線基板は、その途中位置の折り返しを表示装置の移動方向に沿って徐々にずらすことにより表示装置の筐体の長さ方向の移動を許容する。そして、フレキシブル配線基板の折り返し部分には湾曲形状を保つための芯が設けられておらずその折り返しの内側は空洞になっていることから、表示装置の並進移動によってフレキシブル配線基板の筐体の幅方向に作用する力を吸収させることができる。これにより、フレキシブル配線基板がねじれないように維持することが可能となる。
【００１３】
【発明の実施の形態】
以下、本発明の一実施形態に係る携帯端末装置について、図面を参照して説明する。本実施形態では、携帯端末装置として、携帯電話機を例に挙げて説明する。
【００１４】
本実施形態に係る携帯電話機１は、図１に示されるように、第１の筐体２と第２の筐体３とをヒンジ部４を用いて、互いに揺動可能に連結することにより構成された折り畳み式の携帯電話機である。第１の筐体２には、数字・文字等を入力するための操作キー６と、マイクロフォン７とが設けられている。第２の筐体３の表面のうち、折り畳まれたときに操作キー６に対向する側に配される表面８には、第１の表示装置９とスピーカ１０とが設けられている。第１の表示装置９は、例えば、液晶表示装置（ＬＣＤ）であって、第２の筐体３に固定されている。
【００１５】
また、図２に示すように、第１の表示装置９が設けられている第２の筐体３の表面８とは反対側の他の表面１４には、開口部１５が形成されている。その開口部１５には透明な樹脂からなるカバー部材１６がはめ込まれている。
第２の筐体３の内部には、その開口部１５に対向する位置にカメラ１７と凸面鏡１８とが基体４１に固定されている。カメラ１７と凸面鏡１８は、カバー部材１６との間に所定の間隔をあけて配置されている。カメラ１７は、開口部１５のカバー部材１６を通して、外部を撮影できるようになっている。凸面鏡１８は、携帯電話機の使用者が自らを被写体として撮影する際に、使用者自身を映し出し、撮影範囲等の撮影状態を確認するためのものである。
【００１６】
また、第２の筐体３の内部には第２の表示装置１９が収容されている。この第２の表示装置１９は、携帯電話機１が折り畳まれた際に第１の表示装置９が第１の筐体２によって覆い隠されるため、折り畳まれた状態においても、基地局と携帯電話機１との電波の状態や相手先着信番号等の情報をカバー部材１６を通して確認できるようにするためのものである。
第２の表示装置１９は、カバー部材１６とカメラ１７および凸面鏡１８との間の空間に配置され、例えば、ＬＣＤにより構成されている。
【００１７】
また、第２の表示装置１９には、図３に示すように、その外枠部分に、後述するレバー２５に取り付けるために厚さ方向に延びる小穴２３および表示面１９ａとは反対側に突出する突起２４が設けられている。
また、第２の表示装置１９は、移動機構２０により第２の筐体３に取り付けられている。
【００１８】
移動機構２０は、レバー２５と操作ノブ２６とから構成されている。
レバー２５は、長さの異なる別体のアーム部２７、２８から構成されており、それぞれのアーム部２７、２８が同一直線上に接合され一体の棒状を形成している。アーム部２７、２８の接合部位およびアーム部２７、２８の各々には筐体３の厚さ方向に沿って延びる突起２９、３０、３１が設けられている。
突起２９は、第２の筐体３内部のカメラ１７が設置されている基体４１表面に形成された揺動軸受け用の凹部２１に差し込まれている。これにより、レバー２５は、突起２９を揺動中心として揺動可能になっている。そのため、レバー２５が揺動すると突起３０と突起３１は双方が対になって突起２９を中心として平行回転するようになっている。
また、突起３０は、突起２９と反対の方向に突出しており、第２の表示装置１９に形成された小穴２３にはめ込まれている。これにより、第２の表示装置１９は、その突起３０を相対回転軸線の中心としてレバー２５に対して相対回転可能になっている。
【００１９】
さらに、突起３１は、突起２９と反対方向に突出しており、操作ノブ２６に形成された切欠３５に挟まれるように収容されており、レバー２５と操作ノブ２６とが係合されている。
操作ノブ２６は、第２の筐体３の側面に沿って往復運動が可能となるように第２の筐体３の側面に形成された溝（不図示）に直線移動可能に取り付けられている。操作ノブ２６には、第２の筐体３の内部側に配される側面に、筐体３の幅方向に延びた切欠３５が形成されている。切欠３５は、筐体３の幅方向に沿って直線溝状に形成されており、その切欠３５の中を突起３１が移動できるようになっている。そのため、レバー２５の揺動によって突起３１が筐体３の幅方向に移動しても、操作ノブ２６とレバー２５との係合状態を維持できるようになっている。
【００２０】
そして、第２の筐体３内部のカメラ１７が設置されている基体４１の表面には、揺動中心３６を支点としてレバー２５が揺動することにより突起３０が描く軌跡を筐体３の幅方向に平行移動した位置に形成された円弧状のガイド溝３７が設けられている。このガイド溝３７には、第２の表示装置１９に設けられた突起２４がはめ合わされている。これにより、図４に示すように、レバー２５が突起２９回りに揺動させられると、第２の表示装置１９がレバー２５に対して相対回転させられることにより、第２の表示装置１９はその姿勢を維持したまま並進移動させられるように案内される。
【００２１】
さらに、第２の表示装置１９には、図５に示すように、フレキシブル配線基板（以下、「ＦＰＣ」という。）３８の一端が接続されている。ＦＰＣ３８は、第１の表示装置９の表示面とは反対側に第１の表示装置９と平行して固定されている基板４０と、第２の表示装置１９とを電気的に接続するためのものである。ＦＰＣ３８は、その途中位置においてＵ字状に折り返されている。そして、その折り返されたＦＰＣ３８の他端には、基板４０に取り付けられコネクタ３９が接続されている。コネクタ３９は、ＦＰＣ３８と基板４０との接合を媒介するためのものである。また、基板４０には、カメラ１７、第１の表示装置９、第２の表示装置１９等を制御するための種々の電子部品が取り付けられている。
【００２２】
このように構成された本実施形態に係る携帯電話機について、以下に説明する。
この携帯電話機１は、ヒンジ部４により連結された第１の筐体２と第２の筐体３とを相互に閉じた状態に配すると、寸法的にコンパクトとなり携行に適したサイズとなる。このとき、第１の表示装置９は第１の筐体２によって覆われることにより隠れる一方、第２の表示装置１９は筐体外面に露出して視覚可能な状態となった第１の位置にある。そこで、第２の表示装置１９には、電波状態等の情報を表示することとすれば、筐体同士を相互に開くことなく必要最小限の情報を使用者に与えることができる。
この状態においては、第２の表示装置１９により開口部１５が閉鎖され、カメラ１７が覆い隠されているため、外部からカメラ１７が視認できないようになっている。
【００２３】
携帯電話機１に搭載されている各種機能の使用時には、携帯電話機１の操作者が、第１の筐体２に対して第２の筐体３を開く。そして、操作者が第１の表示装置９の表示面９ａを見ながら、操作キー６を操作して電話番号を入力または選択することができる。また、メールの作成や確認等をする場合にも、同様に、前記表示面９ａを見ながら操作キー６を操作することにより文章等の必要な入力を行うことができる。
【００２４】
また、第１の筐体２と第２の筐体３とが互いに閉じられている状態から、例えば、着信信号を受信して通話を行う場合には、携帯電話機１の操作者が、第１の筐体２に対して第２の筐体３を開く。そして、所定の操作キー６を押圧し、スピーカ１０を耳にあてマイクロフォン７を口元に近づけ通話を開始する。
さらに、第１の筐体２と第２の筐体３とが互いに閉じられている状態からカメラ１７を使用する場合には、携帯電話機１の操作者が、第１の筐体２に対して第２の筐体３を開く。そして、操作ノブ２６を操作し、第２の表示装置１９を第２の位置に移動させ、開口部１５を開放しカメラ１７を露出させる。この具体的な動作は以下の通りである。
【００２５】
操作者が操作ノブ２６を第２の筐体３の側面において直線移動させヒンジ部４に近づけると、操作ノブ２６の切欠３５に係合している突起３１が移動させられるので、レバー２５が揺動中心３６回りに揺動させられる。これにより、突起３０は突起３１と対になり揺動中心３６を支点として突起３１と平行にヒンジ部４と反対方向に揺動させられる。この際、突起３１は切欠３５の直線溝の中を移動することにより、レバー２５と操作ノブ２６との係合状態が維持される。さらに、突起３０には、第２の表示装置１９が相対回転可能に取り付けられていることから、第２の表示装置１９も突起３０とともにヒンジ部４と反対方向に揺動させられることになる。そして、第２の表示装置１９に設けられている突起２４がガイド溝３７にはめ合わされていることから、第２の表示装置１９は、レバー２５に対して相対回転させられ、その姿勢が維持されたままヒンジ部４と反対方向に並進移動させられることになる。
【００２６】
さらに、第２の表示装置１９が並進移動すると、これに接続されているＦＰＣ３８の一端も移動させられる。ＦＰＣ３８はその途中位置を湾曲させて折り返されているので、一端が移動させられると、図５（ａ）に示すように、それに合わせて折り返し位置も移動させられる。第２の表示装置１９は円弧軌道に沿って並進移動させられるので、ＦＰＣ３８には第２の表示装置１９の移動に伴って筐体３の幅方向に力が作用する。しかしながら、ＦＰＣ３８のＵ字状の折り返し位置においてＦＰＣ３８に作用する筐体３の幅方向の力が吸収される。これにより、ＦＰＣ３８がねじれないように維持される。
以上の操作により、第２の表示装置１９を移動させてカメラ１７を開口部１５に露出させ、所定の操作キー６を押圧することにより被写体の撮影を行うことが可能となる。
【００２７】
このように、本携帯電話機１によれば、カメラ１７を使用しない場合には、第２の表示装置１９を第１の位置に配置させ開口部１５を閉鎖しカメラ１７を覆い隠すことができる。一方、カメラ１７を使用する場合には、第２の表示装置１９を第２の位置に移動させ開口部１５を開放してカメラ１７を露出させることができる。すなわち、第２の表示装置１９をカバーとして機能させることができる。これにより、操作者が撮影の意思無く操作キー６を操作しながら第１の表示装置９に表示されている情報を見る場合や、スピーカ１０を耳にあてて通話する場合等において、第２の表示装置１９によりカメラ１７を隠しておくことにより、外部の第三者に対してカメラ１７を向けることを確実に防止することができる。
また、第１の表示装置９が隠れている状態においても第２の表示装置１９により情報を得ることができ、さらに、カメラ１７を覆うカバーを別個に設ける必要がないため、携帯電話機１の小型化を容易に図ることができるとともに、筐体３のデザイン性に悪影響を与えることがない。
【００２８】
また、操作ノブ２６からレバー２５の揺動中心３６までの距離（アーム部２８の長さ）が、レバー２５の他端から揺動中心３６までの距離（アーム部２７の長さ）よりも短くなっていることから、操作ノブ２６の直線移動距離を短くしても、第２の表示装置１９を第１の位置と第２の位置との間で十分に動かすことができる。
また、第２の表示装置１９は第１の位置と第２の位置との間で並進移動されることから、開口部１５に隣接する少ない移動スペースを確保するだけで、第２の表示装置１９が開口部１５から見えない位置まで退避させることが可能となる。
【００２９】
なお、上記の実施の形態においては、第２の表示装置１９に小穴２３を形成し、レバー２５の他端に突起３０を設けるようにしたが、これに代えて、第２の表示装置１９に突起を設けレバー２５の他端に小穴を形成してもよい。
また、レバー２５を揺動可能としたが、これに限ることはなく、例えば、操作ノブ２６を第２の筐体３の側面に沿って直線運動させると、操作ノブ２６と係合したレバー２５が操作ノブ２６と一体となって筐体３の長さ方向に平行移動されることにしてもよい。
【００３０】
また、第２の表示装置１９はレバー２５に対して相対回転することとしたがこれに限ることはなく、例えば、レバー２５の他端に固定して取り付けられているようにしてもよい。
また、ＦＰＣ３８の他端には、基板４０に固定されたコネクタ３９を接続としたが、これに代えて、例えば、コネクタを設けず直接半田付けにより基板４０に接続されていてもよい。
また、ＦＰＣ３８の途中位置の折り返し形状をＵ字状としたが、これに限ることはなく、例えば、螺旋状に巻かれた状態で折り返されるようにしてもよい。
以上、本実施形態では、折り畳み型の携帯電話機を例にとって説明したが、本発明は折り畳み型の携帯電話機に限定されるものではなく、表示装置とカメラを備えた様々な構造を有する携帯電話機に適用できることは勿論のこと、携帯電話機だけに限らず、ＰＤＡ（Ｐｅｒｓｏｎａｌ  Ｄｉｇｉｔａｌ  Ａｓｓｉｓｔａｎｔｓ）等の携帯端末装置にも適用できることは言う迄もない。
【００３１】
【発明の効果】
以上のように、本発明によれば、表示装置に表示されている情報を見る場合や通話中等において、前記表示装置によりカメラを覆い隠すことができるので、外部の第三者に対して使用者がカメラを使用する意思の有無を明示できるという効果を奏することができる。また、表示装置がカメラのカバーの機能を果たすので、別途、カメラのカバーを設ける必要がなくなり省スペース化によって小型化を容易にすることができる携帯端末装置を提供できるとともに、携帯端末装置の外観デザインに悪影響を与えることがない。
【図面の簡単な説明】
【図１】本発明に係る携帯端末装置の一実施形態である携帯電話機であって、第１の筐体と第２の筐体とを相互に開いた状態を示す第１の表示装置の表示面側から見た平面図である。
【図２】本発明に係る携帯端末装置の一実施形態である携帯電話機であって、第１の筐体と第２の筐体とを相互に開いた状態を示す第２の表示装置の表示面側から見た平面図である。
【図３】図１の携帯電話機であって、第２の筐体内部において第２の表示装置によりカメラが隠されている状態を示す概略構成図である。
【図４】図１の携帯電話機であって、第２の筐体内部において、第２の表示装置が移動されカメラが露出されている状態を示す概略構成図である。
【図５】（ａ）は図３の携帯電話機における第２の筐体を側面から見た断面図であり、（ｂ）は図４の携帯電話機における第２の筐体を側面から見た断面図である。
【符号の説明】
１  携帯電話機（携帯端末装置）
２  第１の筐体（筐体）
３  第２の筐体（筐体）
９  第１の表示装置
１５  開口部
１７  カメラ
１９  第２の表示装置
２０  移動機構
２５  レバー
２６  操作ノブ
３６  揺動中心
３７  ガイド溝（ガイド手段）
３８  フレキシブル配線基板（ＦＰＣ）
【図１】
2004177874.tif 000003
【図２】
2004177874.tif 000004
【図３】
2004177874.tif 000005
【図４】
2004177874.tif 000006
【図５】
2004177874.tif 000007